(57)【特許請求の範囲】
【請求項１】
映像輝度信号（Ｙ信号）から速度変調用信号（ＶＭ信号）を生成するＶＭ効果制御装置であって、ＶＭ信号から大振幅信号部分と小振幅信号部分を検出する手段と、前記大小振幅信号部分と時間軸で対応したＶＭ信号の出力レベルを可変する大小振幅信号可変手段を備え、前記大小振幅信号可変手段は、Ｙ信号の大小に関わらず、Ｙ信号から１次微分して生成されるＶＭ信号の出力値に対し、ある一定の判断基準値を持ち、前記判断基準値よりも大きいＶＭ信号を任意に可変することを特徴とするＶＭ効果制御装置。
【請求項２】
映像輝度信号（Ｙ信号）から速度変調用信号（ＶＭ信号）を生成するＶＭ効果制御装置であって、ＶＭ信号から大振幅信号部分と小振幅信号部分を別々の値として検出する手段と、前記大振幅信号部分と時間軸で対応したＶＭ信号の出力レベルを可変する大振幅信号可変手段と、大振幅信号とは別の値として小振幅信号をとして検出されたＶＭ信号を可変する小振幅信号可変手段を備える事を特徴とするＶＭ効果制御装置。
【請求項３】
前記大小振幅信号可変手段は、Ｙ信号の大小に関わらず、Ｙ信号から１次微分して生成されるＶＭ信号の出力値に対し、大振幅判断値と小振幅判断値の２つの出力値の大きさに対する判断値を持ち、大レベル判断値よりも大きいＶＭ信号と小レベル判断値よりも小さいＶＭ信号とを別々に任意に可変する事を特徴とする請求項２に記載のＶＭ効果制御装置。
【発明の詳細な説明】
【０００１】
【発明の属する技術分野】
本発明はテレビジョン受像機の画質補正に関し、特にＶＭ補正の効果を最適にし映像の鮮鋭度を改善する画質補正装置に関するものである。
【０００２】
【従来の技術】
従来の速度変調装置としては、例えば、特開平４−３５４２７１号公報に示されるようなものが知られている。
【０００３】
【発明が解決しようとする課題】
従来の技術では、速度変調を行うＶＭ信号は、大振幅小振幅信号に関わらずある一定の信号レベルを持ち、画像に掛かるＶＭ効果としては全ての映像の中で均一なものであり、ＶＭ効果の効きすぎによる破綻を伴う場合が避けられなかった。
【０００４】
本発明は、上記の様なＶＭ効果の効き過ぎによるテレビ映像の破綻を避けるためＶＭ信号の出力レベルを思いのままにコントロールすることを目的とする。
【０００５】
【課題を解決するための手段】
上記目的を解決するために本発明のＶＭ効果制御装置は、ＶＭ信号の大振幅信号部分を検出し、大振幅信号部分の振幅だけをコントロールする回路と、ＶＭ信号の小振幅信号部分を検出し、小振幅信号部分の振幅だけをコントロールする回路とを設けたものである。
【０００６】
これにより、従来大レベル信号部分に大きくＶＭ効果が現れ、小レベル信号部分には大振幅信号と同等かそれ以下のＶＭ効果しか現れなかった現象を改善し、小レベル信号部分により適切にＶＭ効果をもたらすと共に、大レベル信号部分のかかりすぎる効果を適切な効果量に押さえる事が可能となる。
【０００７】
【発明の実施の形態】
本発明のＶＭ効果制御装置は、映像輝度信号（Ｙ信号と呼ぶ。）から速度変調用信号（ＶＭ信号と呼ぶ。）を生成するＶＭ効果制御装置であって、ＶＭ信号から大振幅信号部分と小振幅信号部分を検出する手段と、前記大小振幅信号部分と時間軸で対応したＶＭ信号の出力レベルを可変する大小振幅信号可変手段を備える事を特徴とするＶＭ効果制御装置を有し、テレビジョン受信機に於けるＶＭ補正の補正レベルを映像のＹ信号レベルに対し適切に補正を行う事を可能にし、画像の鮮鋭度を向上する作用を有する
【０００８】
（実施の形態１）
以下、本発明の第１の実施の形態について、図１、２を用いて説明する。
【０００９】
図１は本発明の第１の実施の形態のＶＭ効果制御装置のブロック構成図を示す。
【００１０】
１は、入力されたＹ信号を１次微分しＶＭ信号を生成する。２は、ＶＭ信号をＶＭ信号増幅回路へローインピーダンスで出力するバッファである。３は、ＶＭ信号の全ての成分を増幅する回路である。４は、ＶＭ信号から大振幅部分だけを取り出すための回路へローインピーダンスで出力するバッファである。５は、４からのＶＭ信号をコアリングし大振幅部分のみを出力し、その出力を３の増幅回路に接続することにより、増幅回路の利得を低減する。６は、ＶＭ信号の波形レベルがコントロールされた後の信号を出力するバッファである。
【００１１】
７は、ＶＭコイルに電流を流し磁界を発生するための駆動回路である。８は、CRTのビーム電流に対し速度変調を行うコイルである。９は、３の増幅回路の増幅率を決定するコレクタ抵抗である。１０は、３の増幅回路の増幅率を決定するエミッタ抵抗である。１１は、大振幅信号部分だけ減衰させる量を決定する抵抗である。１２は、１１と同じく大振幅信号部分だけ減衰させる量を決定する抵抗である。
【００１２】
図１に於いて１は、Ｙ信号からＶＭ信号を生成する作用を行うもので、１次微分回路により構成される。
【００１３】
図２に示すようにテレビ受信機の映像が水平方向に黒から白、あるいは灰色から白、あるいは白から黒に変化する時にＹ信号のレベルが変化することを利用し、輝度変化のある部分に速度変調を掛けるため作り出す信号である。
【００１４】
前記１次微分回路より出力された信号から大振幅信号と、小振幅信号を検出する。図２に示すように、１次微分信号の中央からある一定レベルを大小信号の判定レベルとして設定する。
【００１５】
ＶＭ信号としての本線信号はトランジスタ２へ向かい、検出に用いる信号はトランジスタ４向かう。
【００１６】
２は、ＶＭ信号を増幅回路へ受け渡す回路であり、エミッタフォロワにより構成される。３は、ＶＭ信号を増幅する回路でありベース接地増幅回路により構成される、ゲインは抵抗９と抵抗１０により決定される。大振幅信号検出用に取り出された信号は、４によりＶＭ信号からＶＭ信号の大振幅部分を検出するための回路５へ送る回路でありエミッタフォロワにより構成される。５は、ＶＭ信号の大振幅信号部分を取り出すための回路であり、トランジスタのＶbe電圧を利用したコアリング回路により構成される。
【００１７】
トランジスタ５のコレクタより、大振幅信号部分のスイッチング波形が出力され、３での増幅量が、抵抗９と抵抗１０、１１とが並列の接続になり、大振幅信号部分だけ減衰させることができる。この動作により、大振幅信号は、６は、ＶＭ効果コントロール回路からの出力を出力するための回路でエミッタフォロワにより構成される。７は、ＶＭコイルを駆動するためのＶＭドライブ回路である。８は、ＣＲＴ内の電子ビームに速度変調を行うためのＶＭコイルであり、コイルから構成される。
【００１８】
（実施の形態２）
以下、本発明の第２の実施の形態について、図３、４を用いて説明する。図３は本発明の第２の実施の形態のＶＭ効果制御装置のブロック構成図を示す。
【００１９】
図３に於いて１から１２は、実施の形態１に示したものと同じである。ただし、４はＶＭ信号の小信号部分を検出するための信号を取り出す回路へ出力するバッファで有り、エミッタフォロワで構成される。
【００２０】
１３は、ＶＭ信号から大信号部分だけを取り出すための回路へローインピーダンスで出力するバッファである。１４は、１３からのＶＭ信号をコアリングし大振幅部分のみを出力し、５が３の増幅量を大信号部分だけ低減することを停止する回路である。１５は、大振幅信号部分だけの減衰を停止させるための抵抗である。１６は、１５と同じく大振幅信号部分だけの減衰を停止させるための抵抗である。
【００２１】
図３に於いて、小信号部分は３の増幅回路によりその増幅量を決定されＶＭ効果を制御する。図４に示す小振幅信号は、トランジスタ５のベースバイアス値により決定される。また、大振幅信号は、トランジスタ１４のベースバイアスにより決定される。
【００２２】
小振幅信号と、大振幅信号の中間のＶＭ出力レベルは、抵抗１１、１２により決定され小振幅信号よりも小さいレベルの範囲で可変可能である。大振幅信号とされるＶＭ信号出力レベルは、トランジスタ１４のスイッチングにより小振幅信号部分と同等の出力レベルとなる。
【００２３】
以上のように小振幅信号、中振幅信号、大振幅信号の３つのレベルに分離してＶＭ出力信号のレベルを可変することが出来る。
【００２４】
【発明の効果】
以上のように本発明によればテレビ受信機の画像は、Ｙ信号の大振幅部分にはレベルの抑えられたＶＭ効果がかかり、Ｙ信号の小振幅部分には大きなＶＭ効果をかけることが可能となり最適な画質補正が行え、またそのレベル調整も自在にコントロールすることが出来る。
【図面の簡単な説明】
【図１】本発明の第１の実施の形態に於けるＶＭ効果コントロール装置回路のブロック構成図
【図２】Ｙ信号波形、ＣＲＴ映像、１次微分波形を示す図
【図３】本発明の第２の実施の形態に於けるＶＭ効果コントロール装置回路のブロック構成図
【図４】小振幅信号大振幅信号判定レベルを示す図
【符号の説明】
１  ＶＭ信号発生回路
２  エミッタフォロワ
３  ＶＭ信号増幅回路
４  エミッタフォロワ
５  ＶＭ信号コアリング回路
６  エミッタフォロワ
７  ＶＭドライブ回路
８  ＶＭコイル
９  ＶＭ信号増幅抵抗（コレクタ抵抗）
１０  ＶＭ信号増幅抵抗（エミッタ抵抗）
１１  大信号振幅部分減衰抵抗
１２  大信号振幅部分減衰抵抗
１３  エミッタフォロワ
１４  ＶＭ大振幅信号コアリング回路
１５  大振幅信号部減衰停止抵抗
１６  大振幅信号部減衰停止抵抗
【図１】
0004013358.tif 000002
【図２】
0004013358.tif 000003
【図３】
0004013358.tif 000004
【図４】
0004013358.tif 000005